(57)【特許請求の範囲】
【請求項１】
相手局と１対１の通話を目的として相手局を呼び出す個別呼び出し信号、共通システムの１部分の複数局と通話を目的として前記複数局を呼び出すグループ呼び出し信号、または前記共通システムの全部の局と通話することを目的として前記全部の局を呼び出す第１の一斉呼び出し信号を、相手局呼び出しの送信開始時に選択的に送出し、相手局からの呼出信号待ち受け状態のときに受信した呼び出し信号が個別呼び出し信号か、グループ呼び出し信号か、第１の一斉呼び出し信号かの何れであるかを判別し、該判別に基づき個別呼び出し信号であると判別されたときは相手局との通話状態に、グループ呼び出し信号であると判別されたときは通話中以外の前記複数局との通話状態に、第１の一斉呼び出し信号であると判別されたときは通話中以外の前記全部の局との通話状態に制御し、呼び出しに基づく前記通話状態に一旦制御されたときは、該通話状態を解除することにより次の呼び出しに基づく通話状態に移行可能とする第１の制御手段を備えた無線通信機において、
前記共通システムの全部の局と通話することを目的として、通話状態が個別呼び出し信号、グループ呼び出し信号および第１の一斉呼び出し信号に基づく通話状態であった相手局に対しても有効とする第２の一斉呼び出し信号を送信開始時に送出する優先一斉呼び出し信号送出手段と、
受信した呼び出し信号が前記第２の一斉呼び出し信号で有るか否かを判別し、該判別によって前記第２の一斉呼び出し信号であると判別されたときは、前記第２の一斉呼び出し信号を受信したときの通話状態が個別呼び出し信号、グループ呼び出し信号および第１の一斉呼び出し信号に基づく通話状態の如何にかかわらず、通話状態を前記第２の一斉呼び出し信号を受信したときの通話状態に制御する優先一斉呼び出しの第２の制御手段と、
を備えたことを特徴とする無線通信機の呼び出し制御装置。
【発明の詳細な説明】
【０００１】
【発明の属する技術分野】
本発明は無線通信機に関し、さらに詳細には個別呼び出し、グループ呼び出し、一斉呼び出しの呼び出しが可能な無線通信機に関する。
【０００２】
【従来の技術】
この種の従来の無線通信機は、図３に示すようにマイクロコンピュータなどからなる制御回路１１による制御のもとに呼び出し制御および送受信制御を行う。送信のときにはマイクロフォン１６から出力される変調信号を送信回路１２において変調のうえアンテナ１７を介して送出し、受信のときはアンテナ１７を介して受信した信号を受信回路１３において復調し、呼び出し信号のときはスケルチ回路１８を閉じて（音声信号遮断状態）呼び出し受信を行い、音声信号のときはスケルチ回路１８を開いてスピーカ１９にて元の音声信号に変換している。
【０００３】
一方、無線通信機における相手局呼び出しには、個別呼び出し、グループ呼び出し、一斉呼び出しの３通りの呼び出しがある。またどの無線通信機から呼び出されていない状態を待ち受け状態とし、この状態において上記の３通りの呼び出しが可能である。
【０００４】
ここで、個別呼び出しとは、１対１の通信を目的とし各無線通信機に予め付けられた番号（例えば、００（Ｈ）〜９９（Ｈ）、（Ｈ）はヘキサデシマルであることを示す）で呼び出すことにより相手のスケルチ回路を開き通話するものである。グループ呼び出しとは、共通システムの１部分の複数局と通話することを目的とし、各無線通信機に予め付けられたグループ番号（例えば、Ｆ０（Ｈ）〜Ｆ９（Ｈ））で呼び出すと該当するグループの無線通信機のみスケルチ回路が開き通話するものである。一斉呼び出しとは、共通システムの全無線通信機との通話を目的とし第１の一斉通話番号（例えば、ＦＦ（Ｈ））で呼び出すと全無線通信機のスケルチ回路を開き通話するものである。
【０００５】
無線通信機における相手局呼び出しは、入力装置１５におけるキースイッチ操作によって選択信号を送信開始時に付加して交信相手を呼び出す。この呼び出しは図４のフローチャートに示すように、キースイッチによって相手局番号を設定し（ステップＳ１）、設定番号をＬＣＤ表示器２１に表示し（ステップＳ２）、送信要求があったときに相手局番号と予め設定されている自局番号を送信する送信状態にし（ステップＳ３、Ｓ４）、相手局番号および自局番号をモデム２０へ送出して変調し、送信回路１２を介して送出する（ステップＳ５）。
【０００６】
図５は待ち受け状態から呼び出し受信状態にあるときのフローチャートを示している。待ち受け状態では、スケルチ回路１８を閉じた状態にして（ステップＳ１１）、常にＭＳＫ信号をモデム２０にて復調し、呼び出し信号を受信したか否かがチェックされ（ステップＳ１２）、呼び出し信号を受信したと判別されたときは個別呼び出しか否かがチェックされる（ステップＳ１３）。
【０００７】
ステップＳ１３において個別呼び出しでないと判別されたときはグループ呼び出しか否かがチェックされ（ステップＳ１４）、ステップＳ１４においてグループ呼び出しでないと判別されたときは一斉呼び出しか否かがチェックされる（ステップＳ１５）。ステップＳ１５において一斉呼び出しでないと判別されたときはステップＳ１１から再び実行される。
【０００８】
ステップＳ１３において個別呼び出しであると判別されたときは、呼び出し番号が自局の番号か否かがチェックされ（ステップＳ１６）、自局の番号でないと判別されたときはステップＳ１１から実行される。ステップＳ１６において自局の番号であると判別されたときは、個別通話状態にされる（ステップＳ１７）。
【０００９】
ステップＳ１４においてグループ呼び出しであると判別されたときは、呼び出し番号が自局グループの番号か否かがチェックされ（ステップＳ１８）、呼び出し番号が自局グループの番号と一致しないと判別されたときはステップＳ１１から実行される。ステップＳ１８において自局グループの番号であると判別されたときは、グループ通話状態にされる（ステップＳ１９）。ステップＳ１５において一斉呼び出しであると判別されたきは、一斉通話状態にされる（ステップＳ２１）。
【００１０】
ステップＳ１７、Ｓ１９、Ｓ２１において、通話状態とされたときは、相手局番号が制御回路１１中のＲＡＭ（ＣＡＬＬＩＤ）に格納され（ステップＳ２２）、スケルチ回路１８が開かれて各通話中の動作がなされて（ステップＳ２３）、通話することができる（ステップＳ２４）。
【００１１】
個別呼び出しされて個別通話状態になっている無線通信機において、個別通話状態の受信動作は、図６に示すように、個別通話状態中に呼び出し信号を受信したか否かがチェックされ、呼び出し信号を受信したときは（ステップＳ４１）、受信した相手局番号と制御回路１１中のＲＡＭ（ＣＡＬＬＩＤ）に格納されている現に通話状態にある相手局番号とが一致するか否かがチェックされる（ステップＳ４２）。すなわち現に通話状態にある相手局の番号からの呼び出しであるか否かがチェックされる。
【００１２】
ステップＳ４２において一致すると判別されると、ステップＳ４２に続いて呼び出し番号が自局の番号に一致するか否かがチェックされる（ステップＳ４３）。すなわち、相手局が呼び出している局が自局であるか否かがチェックされる。ステップＳ４３において一致すると判別されるとスケルチ回路１８が開かれて通話が行え（ステップＳ４５）、ステップＳ４１から実行される。
【００１３】
ステップＳ４２において一致しないと判別されたときすなわち受信した相手局番号と現に通話状態にある相手局番号と一致していないと判別されたとき、ステップＳ４３において呼び出し番号が自局の番号と一致しないと判別されたときはスケルチ回路１８が閉じられて通話は行えず（ステップＳ４４）、ステップＳ４１から実行される。
【００１４】
【発明が解決しようとする課題】
上記したように従来の無線通信機における呼び出しでは、待ち受け状態のときに一斉呼び出し、グループ呼び出し、個別呼び出しは可能であるが、一旦、各呼び出しによる通話状態になると他の呼び出し状態への移行はできず、各通話状態を解除しない場合は、同じ呼び出し局でないと通話できないという問題点があった。
【００１５】
例えば、個別呼び出し機能を有する無線通信機において、個別呼び出しされ個別通話状態になっている局に対して、一斉呼び出しを行っても１対１の通話が優先させられるため、呼び出し信号を受信し、自局を呼び出した相手局以外からの呼び出し信号を受信してもスケルチ回路は閉じたままであり、個別呼び出しを行った局以外が一斉呼び出しを行った場合、自局を呼び出した相手局である呼び出し局以外のためにスケルチ回路は閉じてしまって、通話を行う事ができなかった。
【００１６】
本発明は、通話状態であっても一斉呼び出しがなされたときには、一斉呼び出し通話状態にする無線通信機を提供することを目的とする。
【００１７】
【課題を解決するための手段】
本発明にかかる無線通信機は、相手局と１対１の通話を目的として相手局を呼び出す個別呼び出し信号、共通システムの１部分の複数局と通話を目的として前記複数局を呼び出すグループ呼び出し信号、または前記共通システムの全部の局と通話することを目的として前記全部の局を呼び出す第１の一斉呼び出し信号を、相手局呼び出しの送信開始時に選択的に送出し、相手局からの呼出信号待ち受け状態のときに受信した呼び出し信号が個別呼び出し信号か、グループ呼び出し信号か、第１の一斉呼び出し信号かの何れであるかを判別し、該判別に基づき個別呼び出し信号であると判別されたときは相手局との通話状態に、グループ呼び出し信号であると判別されたときは通話中以外の前記複数局との通話状態に、第１の一斉呼び出し信号であると判別されたときは通話中以外の前記全部の局との通話状態に制御し、呼び出しに基づく前記通話状態に一旦制御されたときは、該通話状態を解除することにより次の呼び出しに基づく通話状態に移行可能とする第１の制御手段を備えた無線通信機において、
前記共通システムの全部の局と通話することを目的として、通話状態が個別呼び出し信号、グループ呼び出し信号および第１の一斉呼び出し信号に基づく通話状態であった相手局に対しても有効とする第２の一斉呼び出し信号を送信開始時に送出する優先一斉呼び出し信号送出手段と、
受信した呼び出し信号が前記第２の一斉呼び出し信号で有るか否かを判別し、該判別によって前記第２の一斉呼び出し信号であると判別されたときは、前記第２の一斉呼び出し信号を受信したときの通話状態が個別呼び出し信号、グループ呼び出し信号および第１の一斉呼び出し信号に基づく通話状態の如何にかかわらず、通話状態を前記第２の一斉呼び出し信号を受信したときの通話状態に制御する優先一斉呼び出しの第２の制御手段と、
を備えたことを特徴とする。
【００１８】
本発明にかかる無線通信機によれば、呼び出し信号を受信したとき呼び出し信号が第２の一斉呼び出し信号であるか否かが判別されて、第２の一斉呼び出し信号であると判別されたときは、第２の一斉呼び出し信号を受信したときの通話状態が個別呼び出し信号、グループ呼び出し信号および第１の一斉呼び出し信号に基づく通話状態の如何にかかわらず、通話状態を第２の一斉呼び出し信号を受信したときの通話状態に制御される。
【００１９】
【発明の実施の形態】
本発明にかかる無線通信機を実施の形態によって説明する。
【００２０】
図１は本発明の実施の一形態にかかる無線通信機の構成を示すブロックであり、図１において従来の無線通信機と同一構成要素には同一の符号を付して示してある。
【００２１】
本発明の実施の一形態にかかる無線通信機においては、制御回路１１に代わって、制御回路１が設けてある。制御回路１では、一斉呼び出しのときに従来の第１の一斉通話番号（ＦＦ（Ｈ））に加えるに、選択的に通話状態の無線通信機に対しても一斉呼び出しを有効とする優先一斉呼び出し情報である第２の一斉通話番号としての（ＦＡ（Ｈ））を送出させる優先一斉呼び出し情報送出手段２を備えている。
【００２２】
さらに、本発明の実施の一形態にかかる無線通信機においては、制御回路１ではさらに、個別通話状態、またはグループ通話状態の無線通信機において、呼び出し信号を受信したとき、受信した呼び出し信号が第２の一斉通話番号（ＦＡ（Ｈ））か否かをチェックし、第２の一斉通話番号（ＦＡ（Ｈ））を受信したときは一斉呼び出し状態に制御する優先一斉呼び出し制御手段３とを機能的に備えている。さらに、制御回路１のその他の機能的構成は、制御回路１１と同じである。
【００２３】
本発明の実施に一形態にかかる無線通信機の作用において、呼び出し動作および呼び出し待ち受け動作は、図５および図６に示すフローチャートに示す動作と同一であり、その説明は重複を避けるために省略する。
【００２４】
次に、個別呼び出しされて個別通話状態になっている無線通信機において、個別通話状態の受信動作は、図２に示すように、個別通話状態に呼び出し信号を受信したか否かがチェックされ、呼び出し信号を受信したときは（ステップＳ３１）、ステップＳ３１に続いて第２の一斉通話番号（ＦＡ（Ｈ））か否かがチェックされる（ステップＳ３２）。ステップＳ３２において第２の一斉通話番号（ＦＡ（Ｈ））であると判別されると、呼び出し局番号が制御回路１のＲＡＭ（ＣＡＬＬＩＤ）にセットされ（ステップＳ３３）、一斉呼び出し状態にされる（ステップＳ３４）。ステップＳ３４に続いてスケルチ回路１８が開かれて一斉呼び出しに基づく通話が行え（ステップＳ３５）、ステップＳ３１から実行される。
【００２５】
ステップＳ３２において受信した呼び出し番号が第２の一斉通話番号でないと判別されたときは、ステップＳ３２に続いて、受信した相手局番号と制御回路１中のＲＡＭ（ＣＡＬＬＩＤ）に格納されている現に通話状態にある相手局番号とが一致するか否かがチェックされる（ステップＳ３６）。すなわち現に通話状態にある相手局の番号からの呼び出しであるか否かがチェックされる。
【００２６】
ステップＳ３６において一致すると判別されると、ステップＳ３６に続いて呼び出し番号が自局の番号に一致するか否かがチェックされる（ステップＳ３７）。すなわち、相手局が呼び出している局が自局であるか否かがチェックされる。ステップＳ３７において一致すると判別されるとスケルチ回路１８が開かれて相手局との通話が行え（ステップＳ３５）、ステップＳ３１から実行される。
【００２７】
ステップＳ３６において一致しないと判別されたとき、すなわち受信した相手局番号と現に通話状態にある相手局番号とが一致していないと判別されたとき、ステップＳ３７において呼び出し番号が自局の番号と一致しないと判別されたときはスケルチ回路１８が閉じられて通話は行えず（ステップＳ３８）、ステップＳ３１から実行される。
【００２８】
したがって、第２の一斉呼び出し番号の（ＦＡ（Ｈ））で呼び出しを行うことにより、個別通話状態でも第２の一斉呼び出し番号の（ＦＡ（Ｈ））を受信した場合は、呼び出し局番号がＲＡＭ（ＣＡＬＬＩＤ）にセットされ、一斉呼び出し状態にされて、スケルチ回路１８が開かれ、一斉呼び出しに基づく通話ができる。
【００２９】
これはグループ通話状態の場合においても同様であって、呼び出し局が第２の一斉呼び出し番号（ＦＡ（Ｈ））を送信してきているか否かを、チェックし、グループ通話状態でも第２の一斉呼び出し番号の（ＦＡ（Ｈ））を受信した場合は、呼び出し局番号がＲＡＭ（ＣＡＬＬＩＤ）にセットされ、一斉呼び出し状態にされて、スケルチが開かれるようにすればよい。
【００３０】
また、第１の一斉通話状態であっても第２の一斉通話番号（ＦＡ（Ｈ））を受信した場合は、呼び出し局番号がＲＡＭ（ＣＡＬＬＩＤ）にセットされ、一斉呼び出し状態にされ、スケルチが開かれるようにすればよい。
【００３１】
以上はモデム２０を用いた場合を例示したが、モデム２０に代わってＤＴＭＦエンコーダおよびＤＴＭＦデコーダを用いてもよい。
【００３２】
【発明の効果】
以上説明したように本発明にかかる無線通信機によれば、第２の一斉呼び出し情報を送出することによって他の通話状態の無線通信機に対しても一斉呼び出しが可能となって、システムの全ての無線通信機に対しても一斉呼び出しによる通話ができるようになるという効果が得られる。
【図面の簡単な説明】
【図１】  本発明の実施の一形態にかかる無線通信機の構成を示すブロック図である。
【図２】  本発明の実施の一形態にかかる無線通信機の作用の説明に供するフローチャート図である。
【図３】  従来の無線通信機の構成を示すブロック図である。
【図４】  従来の無線通信機の作用の説明に供するフローチャート図である。
【図５】  従来の無線通信機の作用の説明に供するフローチャート図である。
【図６】  従来の無線通信機の作用の説明に供するフローチャート図である。
【符号の説明】
１および１１  制御回路
２  優先一斉呼び出し情報送出手段
３  優先一斉呼び出し制御手段
１２  送信回路
１３  受信回路
１８  スケルチ回路
２０  モデム
【図１】
0003820056.tif 000002
【図２】
0003820056.tif 000003
【図３】
0003820056.tif 000004
【図４】
0003820056.tif 000005
【図５】
0003820056.tif 000006
【図６】
0003820056.tif 000007